(57)【要約】【課題】ブランケットゴーストの発生がなく、良好な搬送性と高いトナー定着強度を有する電子写真記録材料を提供する。【解決手段】支持体上にトナー受理層を設けた電子写真記録材料において、トナー受理層に少なくともＪＩＳ  Ｋ２２０７で規定される針入度試験の値が３以上の顔料を含有することを特徴とする電子写真記録材料。【選択図】なし【特許請求の範囲】
【請求項１】
支持体上にトナー受理層を設けた電子写真記録材料において、トナー受理層に少なくともＪＩＳ  Ｋ２２０７で規定される針入度試験の値が３以上の顔料を含有することを特徴とする電子写真記録材料。
【請求項２】
トナー受理層において、顔料の添加比率が、トナー受理層の総固形分質量に対して、１〜４０質量％である請求項１記載の電子写真記録材料。
【請求項３】
トナー受理層が、バインダーとしてアイオノマー樹脂を含有する請求項１または２記載の電子写真記録材料。
【発明の詳細な説明】
【技術分野】
【０００１】
本発明は、電子写真記録材料に関するものである。詳しくは電子写真方式、さらには湿式電子写真方式において、ブランケットゴーストの発生がなく、良好な搬送性と高いトナー定着強度を有する電子写真記録材料に関する。
【背景技術】
【０００２】
電子写真方式による記録は、複写機をはじめ、端末のプリント出力、ファクシミリ、少部数印刷など様々な分野に適用されている。出力装置の進歩も著しく、印刷速度は向上し、フルカラーは言うに及ばず、トナーの改良により高精細化を達成し、色再現性も大きく向上し、文書出力から写真出力まで様々な用途に使用されるようになってきた。
【０００３】
このような電子写真方式のうち、乾式電子写真方式は、複写機などに代表される方式で、画像を形成するトナーは、顔料と合成樹脂からなる固体粉末トナーを使用する。画像形成方法は、コロナ帯電によって発生させた感光体ロール上の静電画像にトナーが吸着し、さらにトナーが記録材料に転写し、転写された記録材料を定着ロールで加熱することによりトナーが定着する方式である。この方式ではトナーの微細化に限界があり、高解像度が得られ難い。また、画線部のトナー定着部分の光沢が高くなり、非画線部と光沢差が生じて、不自然な描写になる不具合がある。
【０００４】
一方で、湿式電子写真方式では、液体中にトナーを分散させるため、粉体の飛散などが問題とならず、乾式電子写真方式に比べてトナーを１／１０以下まで微細化できること、すなわち画線部を形成するドットを微細にできること、加えて色材として顔料を使用できるために耐候性の問題がないこと、画像の光沢差を生じることなく写真出力に好適な方式である。
【０００５】
湿式電子写真方式の画像形成方法は、乾式電子写真方式と同様に感光体ロール上の静電画像にトナーが吸着し、電位的な反発を利用してブランケットロールへトナーが転写することによって進行する。ブランケットロールの表面はシリコンゴムなどの界面自由エネルギーの低い素材で構成されており、トナーがブランケットロールから記録材料に転写し、さらにブランケットロールは加温されており、トナーが溶融状態となり記録材料へ定着する画像形成の方式である。かかる方式では、ブランケットロールから記録材料へ湿式トナーが良好に転写する能力をブランケットロール、記録材料または湿式トナーに要求され、所謂トナーの転写性が重要である。
【０００６】
写真出力では高い平滑性が要求されるため、記録材料としては基紙にレジンコートを施したり、ポリマーフィルムを基材とすることが好まれる。しかし、レジンコート紙やポリマーフィルムではトナーの定着が十分ではなくなるため、トナー受理層を設ける構成が提案されている。かかる構成としては、基紙の両面に特定のポリプロピレン樹脂層を設け、その上にトナー受理層を有する電子写真記録材料が提案されている（例えば、特許文献１参照）。また、ポリマーフィルム上にガラス転移点が規定された樹脂と低抵抗処理剤、有機ポリマー微粒子を受理層とする電子写真記録材料が提案されている（例えば、特許文献２参照）。しかしながら、特許文献１または特許文献２に記載されているが如くのトナー受理層は、湿式電子写真方式のトナー定着強度の点、印刷非画像部に不必要な画像が印刷されてしまうブランケットゴーストという問題点において未だ不十分である。
【０００７】
トナー受像層として、ガラス転移温度または融点が、受像層に画像を定着する温度以下である有機粒子を配合した電子写真用受像シートが提案されている（例えば、特許文献３参照）。このような電子写真用受像シートは、搬送性は改良されるものの、ブランケットゴーストを発生するという点で不十分であり、トナー定着強度も全く不十分である。
【０００８】
透明フィルムの少なくとも一方の表面に、マット剤及び結合剤を含有する受像層が設けてあり、該マット剤が少なくとも二種の形状の異なる微粒子からなる電子写真用フィルムが提案されている（例えば、特許文献４参照）。また、透明基材上に受像層を有し、受像層の樹脂がトナーより低い軟化点で、且つトナーより高い軟化点の材料で構成される突出部を持つことを特徴とする受像シートが提案されている（例えば、特許文献５参照）。しかしながら、特許文献４または特許文献５に記載されているが如くの受理層は、搬送性は改良されるものの、ブランケットゴーストを発生するという点で不十分であり、トナー定着強度も全く不十分である。
【先行技術文献】
【特許文献】
【０００９】
【特許文献１】特開２００２−３５１１２１号公報
【特許文献２】特開２００７−６５５１７号公報
【特許文献３】特開２００２−２５８５０７号公報
【特許文献４】特開平６−１９１７９号公報
【特許文献５】特開平９−１６０２７７号公報
【発明の概要】
【発明が解決しようとする課題】
【００１０】
湿式電子写真方式の画像形成方法において、湿式トナーは、感光体ロール上の静電画像に吸着し、電位的な反発を利用してブランケットロールへ転写、さらにブランケットロールから記録材料に転写する。ブランケットロールの表面はシリコンゴムなどの界面自由エネルギーの低い素材で構成されていることから、ブランケット上の湿式トナーは全て記録材料に転写される。しかしながら、使用する記録材料の種類によっては、印刷画像を変更した際に、新しい画像に、古い画像が薄く印刷される現象が見られることがあった。この現象がブランケットゴーストと呼ばれるものであり、近年、印刷技術の発達により、高速印刷が可能となる中で、ブランケットゴーストの問題はますます大きくなってきている。本発明者が鋭意検討した結果、ブランケットゴーストは、ブランケットが傷付くことにより、本来、記録材料に全て転写されるトナーが部分的にブランケット上に残り、印刷画像を変更した後も、その部分の前画像が薄く印刷される現象であることが判明した。さらに記録材料のトナー受像層にマット剤の含有させることや突出部を設けることは、搬送性を改善するもののブランケットロールの表面に傷ができ易くなることが判明した。
【００１１】
本発明の目的は、ブランケットゴーストの発生がなく、良好な搬送性と高いトナー定着強度を有する電子写真記録材料を提供することである。
【課題を解決するための手段】
【００１２】
本発明の上記の目的は、支持体上にトナー受理層を設けた電子写真記録材料において、トナー受理層に少なくともＪＩＳ  Ｋ２２０７で規定される針入度試験の値が３以上の顔料を含有することによって基本的に達成される。好ましくは、トナー受理層中の顔料の添加比率がトナー受理層の総固形分質量に対して１〜４０質量％である。また好ましくは、トナー受理層が、バインダーとしてアイオノマー樹脂を含有する。
【発明の効果】
【００１３】
本発明を実施することにより、ブランケットゴーストの発生がなく、良好な搬送性と高いトナー定着強度を有する優れた電子写真記録材料が得られる。
【発明を実施するための形態】
【００１４】
本発明の電子写真記録材料は、トナー受理層に少なくともＪＩＳ  Ｋ２２０７で規定される針入度試験の値が３以上の顔料を含有しているため、ブランケットを傷付けることがなく、従って、ブランケットゴーストの問題を発生することがない。また本発明の電子写真記録材料は、顔料を添加することで、記録材料同士及び印刷機内部の搬送ロールとの摩擦を少なくすることが可能となり、搬送時における重送、紙詰まりなどの問題も発生することがない。また本発明の電子写真記録材料は、トナー受理層がバインダーとしてアイオノマー樹脂を含有することで、トナー定着強度がより良好となる。
【００１５】
本発明のトナー受理層中には、少なくともＪＩＳ  Ｋ２２０７で規定される針入度試験の値が３以上の顔料を含有する。針入度試験の値が３よりも小さな顔料を添加すると、ブランケットゴーストが発生する。顔料としては有機顔料または無機顔料を使用することができる。針入度試験の値が３以上である顔料の入手し易さから特に有機顔料が好ましく、有機顔料としては、例えば、ポリエチレン樹脂、アクリル樹脂、ポリオレフィン樹脂、ポリスチレン樹脂、エチレン−アクリル酸共重合体樹脂、スチレン−アクリル共重合体樹脂、スチレン−メタアクリル酸共重合体樹脂、スチレン−ブタジエン共重合体樹脂、尿素樹脂、メラミン樹脂、澱粉、シリコーン樹脂が挙げられる。有機顔料は、例えば、三井化学（株）製のケミパールのＷタイプなどとして既に市販され、本発明のトナー受理層に用いることができる。
【００１６】
本発明のトナー受理層中の顔料の添加比率は、トナー受理層の総固形分質量に対して１〜４０質量％であることが好ましい。かかる範囲においては、トナー定着強度及び搬送性がより良好である。顔料の添加比率が１質量％より低いと、搬送性が低下する場合があり、４０質量％より高いとトナー定着強度が低下する場合がある。
【００１７】
本発明において、トナー受理層は、バインダーとしてアイオノマー樹脂を含有することが好ましい。アイオノマー樹脂を含有することによってトナー定着強度がより良好となる。本発明のトナー受理層中のアイオノマー樹脂とは、エチレン等の単量体とアクリル酸またはメタクリル酸、マレイン酸等の不飽和カルボン酸との共重合体において、カルボン酸部分が、ナトリウム、マグネシウム、亜鉛、リチウム等の金属イオンやアンモニウムイオンなどによる凝集力を利用し、共重合体を分子間結合させ凝集体とした合成樹脂のことである。アイオノマー樹脂としては、例えば、三井化学（株）製のケミパールのＳタイプ、住友精化（株）製のザイクセン、丸芳化学（株）製のアイオノマーディスパージョンなどとして既に市販され、本発明のトナー受理層に用いることができる。
【００１８】
トナー受理層には、他に各種無機酸、有機酸、ｐＨ調整剤、画像保存剤、着色剤、増粘剤、界面活性剤等適宜加えることができる。
【００１９】
本発明におけるトナー受理層の厚みは、０．０５〜１０μｍであることが好ましい。
【００２０】
本発明における支持体としては、レジンコート紙、ポリマーフィルム、上質紙、中質紙、更紙、クラフト紙、印刷用コーテッド紙などを用いることができ、特に好ましくはレジンコート紙、ポリマーフィルムである。支持体の厚みとしては、５０〜３００μｍであることが好ましい。
【００２１】
本発明におけるトナー受理層の形成方法としては、ダイレクトグラビアコーター、オフセットグラビアコーター、マイクログラビアコーター、リバースグラビアコーター、リバースロールコーター、ワイヤーバーコーターまたはエクストルージョンバーコーターなどのバーコーター、カーテンコーター、エアナイフコーター、コンマコーター、ダイコーター、リップコーター、ブレードコーター、スライドホッパーコーター及びそれらの組み合わせにより支持体上にトナー受理層用の塗液を塗布する方法が挙げられる。塗布された塗液の乾燥装置としては、直線トンネル乾燥機、アーチドライヤー、エアループドライヤー、サインカーブエアフロートドライヤー等の熱風乾燥機、赤外線、加熱ドライヤー、マイクロ波等を利用した乾燥機等各種乾燥装置を挙げることができる。
【実施例】
【００２２】
以下では、本発明を実施例により詳細に説明する。なお、本発明は実施例に限定されるものではないことは言うまでもない。％は特に説明のない限り固形分換算または実質有効成分の質量％である。部は特に説明のない限り固形分換算または実質有効成分の質量部である。
【００２３】
＜実施例１＞
トナー受理層用塗液を作製するにあたり、バインダーとしてアイオノマー樹脂（三井化学（株）製、ケミパールＳ１１１、濃度２７％）：９９．９部、顔料としてポリエチレン粒子（三井化学（株）製、ケミパールＷ１００、濃度４０％）：０．１部を混合攪拌し、これをトナー受理層用塗液とし、ポリプロピレン樹脂を上質紙の両面に溶融ラミネートした坪量１７０ｇ／ｍ２のレジンコート紙上に、片面あたり塗布量１．５ｇ／ｍ２となるようにリバースグラビアコーターにて両面に塗布し、熱風乾燥機で乾燥して実施例１の記録材料を得た。顔料の添加比率は、トナー受理層の総固形分質量に対して０．１％となる。
【００２４】
＜実施例２〜９、比較例１及び２＞
表１記載のバインダー及び顔料を用い、表１記載の比率で添加すること以外は、実施例１と同様に行い、各実施例または各比較例の記録材料を得た。
【００２５】
（トナー定着強度の評価）
湿式電子写真方式のプリンターとして、ＨＰ  Ｉｎｄｉｇｏ  ７０００  Ｄｉｇｉｔａｌ  Ｐｒｅｓｓを用い、標準４色、８ビットモード、１２１９ｄｐｉにて、記録材料に印刷を行った。ブラック、シアン、マゼンタ、イエローの単色、色濃度１００％（色の光学濃度）のベタ印字部にセロハンテープを貼り付けて、テープを剥がしてテープに付着したトナーを観察し、トナー定着強度を評価した。本発明において評価が◎、○及び△であれば実用上問題ない。
◎：テープにトナーの付着がなく、トナー定着強度に優れている。
○：テープに僅かにトナーの付着が見られるが、トナー定着強度は良好である。
△：テープにトナーの付着が見られ、トナー定着強度は実用限度のレベルである。
×：トナーの多くはテープに付着し、トナー定着強度は実用不可レベルである。
【００２６】
（ブランケットゴーストの評価）
湿式電子写真方式のプリンターとして、ＨＰ  Ｉｎｄｉｇｏ  ７０００  Ｄｉｇｉｔａｌ  Ｐｒｅｓｓを用い、標準４色、８ビットモード、１２１９ｄｐｉにて、記録材料に印刷を行った。２種類の評価用画像を用い、評価画像を変更した後の非画像部におけるゴースト画像の発現状態を観察し、ブランケットゴーストを評価した。本発明において評価が○及び△であれば実用上問題ない。
○：非画線部にブランケットゴーストが認められず、良好である。
△：非画線部に僅かな汚れが見られるが、実用限度のレベルである。
×：非画線部にブランケットゴーストが認められ、実用不可レベルである。
【００２７】
（搬送性の評価）
［重送の評価］
湿式電子写真方式のプリンターとして、ＨＰ  Ｉｎｄｉｇｏ  ７０００  Ｄｉｇｉｔａｌ  Ｐｒｅｓｓを用い、Ａ３用紙で１００枚を連続印刷し、重送の発生の有無を確認した。本発明において評価が○及び△であれば実用上問題ない。
○：１００枚全てが、重送の発生なく、両面印刷された。
△：１００枚中、１回、重送が発生したが、実用限度のレベルである。
×：１００枚中、２回以上、重送が発生し、実用不可レベルである。
【００２８】
［紙詰まりの評価］
湿式電子写真方式のプリンターとして、ＨＰ  Ｉｎｄｉｇｏ  ７０００  Ｄｉｇｉｔａｌ  Ｐｒｅｓｓを用い、Ａ３用紙で１００枚を連続印刷し、紙詰まりの発生の有無を確認した。本発明において評価が○及び△であれば実用上問題ない。
○：１００枚全てが、紙詰まりの発生なく、両面印刷された。
△：１００枚中、１回、紙詰まりが発生したが、実用限度のレベルである。
×：１００枚中、２回以上、紙詰まりが発生し、実用不可レベルである。
【００２９】
各実施例及び各比較例の評価結果を表１に示す。
【００３０】
【表１】
2013160849.tif 000002
【００３１】
実施例１〜実施例９から、ＪＩＳ  Ｋ２２０７で規定される針入度試験の値が３以上の顔料を含有する本発明にかかる電子写真用記録材料は、トナー定着強度に優れ、ブランケットゴーストの発生がなく、搬送性が良好であることが分かる。本発明に相当しない比較例１及び比較例２は本発明のこのような効果を得ることができない。実施例１〜実施例６の対比から、顔料の添加比率は、搬送性やトナー定着強度の点で、トナー受理層の総固形分質量に対して１〜４０質量％が好ましいことが分かる。また、実施例２と実施例９との対比及び実施例４と実施例８の対比から、トナー定着強度の点でバインダーとしてアイオノマー樹脂が好ましいことが分かる。